(57)【要約】【課題】  プリフォーマット領域におけるＮＰＰｂ信号の増大を抑制して、良好なプッシュプル信号を得ることができる記録を行うようにした光情報記録媒体を提供する。【解決手段】  記録領域にグルーブが形成された基板２と、有機色素を含む記録層４と、反射層３を少なくとも有する光情報記録媒体１であって、前記記録領域はプリフォーマット領域とデータ領域とを有しており、前記プリフォーマット領域におけるグルーブＧＶ２は、前記データ領域におけるグルーブＧＶ１よりも幅または深さが小さいことを特徴とする。【選択図】図２
2007299503.tif 000002
【特許請求の範囲】
【請求項１】
記録領域にグルーブが形成された基板と、有機色素を含む記録層と、反射層と、を少なくとも有する光情報記録媒体であって、前記記録領域はプリフォーマット領域とデータ領域とを有しており、前記プリフォーマット領域におけるグルーブは、前記データ領域におけるグルーブよりも幅が狭いことを特徴とする光情報記録媒体。
【請求項２】
記録領域にグルーブが形成された基板と、有機色素を含む記録層と、反射層を少なくとも有する光情報記録媒体であって、前記記録領域はプリフォーマット領域とデータ領域とを有しており、前記プリフォーマット領域におけるグルーブは、前記データ領域におけるグルーブよりも深さが浅いことを特徴とする光情報記録媒体。
【請求項３】
前記プリフォーマット領域におけるグルーブの直径方向の断面形状はＶ字形状であることを特徴とする請求項１または２に記載の光情報記録媒体。
【請求項４】
記録領域にグルーブが形成された基板を成形するための金型装置であって、上金型と下金型とスタンパを備えており、前記スタンパは、記録領域に相当する位置にグルーブを形成するための突起が設けられており、プリフォーマット領域に相当する位置の突起はデータ領域に相当する位置の突起よりも幅が狭いことを特徴とする光情報記録媒体を製造に用いる金型装置。
【請求項５】
記録領域にグルーブが形成された基板を成形するための金型装置であって、上金型と下金型とスタンパを備えており、前記スタンパは、記録領域に相当する位置にグルーブを形成するための突起が設けられており、プリフォーマット領域に相当する位置の突起はデータ領域に相当する位置の突起よりも高さが低いことを特徴とする光情報記録媒体を製造に用いる金型装置。
【発明の詳細な説明】
【技術分野】
【０００１】  本発明は追記型の光情報記録媒体およびその製造に用いる装置にかかるもので、とくに半導体レーザーによる波長が３６０〜４５０ｎｍのレーザー光（所謂ブルーレーザー光）による記録を行う光情報記録媒体およびその製造に用いる金型装置に関するものである。
【背景技術】
【０００２】  現在、従来より短波長側の３６０〜４５０ｎｍ、たとえば４０５ｎｍ前後のブルーレーザー光を用いた追記型の光情報記録媒体について開発が行われている。この光情報記録媒体は、有機色素化合物をその記録層に使用しており、この有機色素化合物がレーザー光を吸収することにより分解あるいは変質して、レーザー光の記録再生波長における光学的特性の変化を変調度として得て、記録を行い、さらに再生を行っている。【０００３】  このような光情報記録媒体は、例えば特開２００５−３０２２７２号公報にあるように、基板上に反射層、記録層及び保護層を有しており、前記基板上の記録層が形成される部分（記録領域）にはグルーブと呼ばれるスパイラル状の溝が形成されている。光情報記録媒体にデータを記録する際にはこのグルーブにピットが形成される。この記録領域は、メディアＩＤやレーザーパワー等の記録条件のデータが予め格納されているプリフォーマット領域と、ユーザーが情報を記録するデータ領域に分けられる。それぞれグルーブ間の距離（トラックピッチ）が異なっており、プリフォーマット領域のほうがデータ領域よりトラックピッチが広くなっている。【０００４】
【特許文献１】特開２００５−３０２２７２号公報
【発明の開示】
【発明が解決しようとする課題】
【０００５】  このような光情報記録媒体のうち、Ｌｏｗ  ｔｏ  Ｈｉｇｈ方式による光情報記録媒体では、プッシュプル（ＮＰＰｂ）信号が大きくなる傾向があった。特にトラックピッチが広くなっているプリフォーマット領域ではＮＰＰｂ信号がさらに増大してしまい、トラッキングがかからないという問題があった。【０００６】  本発明では、このような問題点に鑑み、プリフォーマット領域におけるＮＰＰｂ信号の増大を抑制して、良好なプッシュプル信号を得ることができる記録を行うようにした光情報記録媒体を提供することを目的とする。
【課題を解決するための手段】
【０００７】  本発明は、記録領域にグルーブが形成された基板と、有機色素を含む記録層と、反射層を少なくとも有する光情報記録媒体であって、前記記録領域はプリフォーマット領域とデータ領域とを有しており、前記プリフォーマット領域におけるグルーブは、前記データ領域におけるグルーブよりも幅が狭いか、あるいは深さが浅いことを特徴とする光情報記録媒体を提案する。【０００８】また、本発明では、前記プリフォーマット領域におけるグルーブの直径方向の断面形状はＶ字形状であることを特徴とする光情報記録媒体を提案する。【０００９】  本発明によれば、プリフォーマット領域のグルーブ幅が小さくなることによってフォトディテクターで検出される信号差が小さくなり、その結果ＮＰＰｂ信号の増大を抑えることができる。【００１０】  また、本発明では、記録領域にグルーブが形成された基板を成形するための金型装置であって、上金型と下金型とスタンパを備えており、前記スタンパは、記録領域に相当する位置にグルーブを形成するための突起が設けられており、プリフォーマット領域に相当する位置の突起はデータ領域に相当する位置の突起よりも幅が狭いか、あるいは高さが低いことを特徴とする光情報記録媒体を製造に用いる金型装置を提案する。【００１１】  本発明によれば、プリフォーマット領域におけるグルーブがデータ領域におけるグルーブよりも幅あるいは深さが小さい基板を形成することが容易にできるため、プリフォーマット領域におけるＮＰＰｂ信号が小さい光情報記録媒体を製造することができる。
【発明の効果】
【００１２】  本発明によれば、良好なプッシュプル信号を得ることができ、良好な記録を行うことができる。これにより高密度化及び高速記録が可能な光情報記録媒体を得ることができる。
【発明を実施するための最良の形態】
【００１３】  本発明に係る光情報記録媒体の実施形態を、以下の図面に基づいて説明する。図１は光情報記録媒体の記録領域、プリフォーマット領域、データ領域を示す平面模式図である。また図２は本発明に係る光情報記録媒体の直径方向の断面の一部を示す模式図である。本発明の光情報記録媒体１は、図２に示すように、ポリカーボネート等の基板２の上に、銀、アルミニウム等の反射率の高い金属層で構成される反射層３、アゾ系色素またはシアニン系色素を含む記録層４、窒化アルミニウム等で構成される透明な中間層５および接着剤を介してポリカーボネート製シートで構成される光透過層６が順次形成されている。【００１４】  この光情報記録媒体１は、図１に示すように、記録領域がデータ領域とプリフォーマット領域に分けられており、図２に示すように、プリフォーマット領域のグルーブＧＶ２の幅Ｗ２は、データ領域のグルーブＧＶ１の幅Ｗ１よりも幅が小さく形成されている。また、プリフォーマット領域のトラックピッチＴＰ２は、データ領域のトラックピッチＴＰ１よりも広く形成されている。また更に、前記グルーブＧＶ２の深さＤ２は、前記グルーブＧＶ１の深さＤ１よりも浅く形成されている。【００１５】  このような光情報記録媒体１によってプリフォーマット領域におけるＮＰＰｂ信号が小さくなる理由を、まずグルーブ幅について図３乃至図５を用いて説明する。図３はデータ領域においてレーザー光がグルーブ上を走査している様子を示す模式図、図４は従来の光情報記録媒体の場合のプリフォーマット領域における走査の様子を示す模式図、図５は本発明の光情報記録媒体の場合のプリフォーマット領域における走査の様子を示す模式図である。なお、ＮＰＰｂは、フォトディテクターＰＤの４分割されたエリアＡ、Ｂ、Ｃ、Ｄにおいて、グルーブ上をレーザー光が走査した場合の信号差で表し、ＮＰＰｂ＝（（Ａ＋Ｂ）−（Ｃ＋Ｄ））／（（Ａ＋Ｂ）＋（Ｃ＋Ｄ））で定義される。【００１６】  図３には、グルーブＧＶをピックアップから照射されたビームスポットが走査し、フォトディテクターＰＤが戻り光を受光している様子が示されている。エリアＡ及びＢと比較して、エリアＣ及びＤはグループＧＶにかかっている部分の割合が多くなっている。ランドＬＤとグルーブＧＶは明度差があるので、グルーブＧＶにかかっている部分の割合によって信号差が生じ、ＮＰＰｂ信号が発生する。【００１７】  図４に示すように、プリフォーマット領域になると、グループＧＶの幅はデータ領域と同じでランドＬＤの幅がデータ領域より大きくなる、すなわちトラックピッチが広くなる。このような場合、フォトディテクターＰＤのエリアＡ及びＢのグループＧＶにかかっている部分の割合が小さくなり、エリアＡ及びＢと、エリアＣ及びＤとの信号差が大きくなる。このためＮＰＰｂ信号が増大する。【００１８】  そこで図５に示すように、プリフォーマット領域のグルーブＧＶの幅を小さくすると、フォトディテクターＰＤにかかるグルーブＧＶの部分が小さくなるので、その分エリアＡ及びＢと、エリアＣ及びＤとの信号差が小さくなり、ＮＰＰｂ信号が低減される。【００１９】  続いて、グルーブ深さによるＮＰＰｂ信号低減について説明する。グルーブＧＶの深さ���浅くすると、ランドＬＤの高さに近づく。そのためグルーブＧＶとランドＬＤとの明度差が小さくなり、フォトディテクターＰＤで検出される信号差が小さくなる。そのためエリアＡ及びＢと、エリアＣ及びＤとの信号差が小さくなり、ＮＰＰｂ信号が低減される。【００２０】  なお、プリフォーマット領域については、グルーブのウォブリング（ｗｏｂｂｌｉｎｇ）によってあらかじめ情報が入力されているので、レーザー照射でピットを形成する必要はなく、検出可能な範囲でグルーブＧＶの幅または深さを小さくすることができる。また、本実施形態では、プリフォーマット領域のグルーブの幅と深さの両方がデータ領域のグルーブよりも小さい形態になっているが、プリフォーマット領域のグルーブの少なくとも幅または深さのいずれかがデータ領域のグルーブよりも小さければ、本発明の効果を発揮することができる。【００２１】  本発明の光情報記録媒体１は、次のようにして製造される。まず、ポリカーボネート樹脂を射出成形によって円盤状に成形する。このとき、図６に示すような金型装置１４を用いる。金型装置１４は、上金型１１、下金型１２を備え、上金型１１と下金型１２の間に形成される空間内にグルーブ等の版が形成されたスタンパ１０を具備している。さらにこのスタンパ１０を固定するスタンパ押さえ１３が備えられている。【００２２】  スタンパ１０の断面の一部を図７に示す。スタンパ１０のプリフォーマット領域に相当する部分には、グルーブを形成する断面逆Ｖ字状の突起ＴＫ２が形成されている。また、データ領域に相当する部分には断面台形状の突起ＴＫ１が形成されている。突起ＴＫ２の幅Ｌ２は、突起ＴＫ１の幅Ｌ１より小さく形成されている。また更に突起ＴＫ２の高さＴ２は、突起ＴＫ１の高さＴ１より低く形成されている。【００２３】  このようなスタンパ１０を用いることによって、本発明の光情報記録媒体に用いる基板２が形成される。【００２４】  次に基板２上にスパッタによって金属層を形成して反射層３を形成する。次に反射層３の上に色素溶液をスピンコート等によって塗布し乾燥して記録層４を形成する。次に記録層４の上に必要に応じてスパッタ等の方法で中間層５を形成し、その上にポリカーボネート等で構成された光透過層６を、接着剤を介して貼りあわせる。このようにして光情報記録媒体１が形成される。【００２５】  本発明の効果の検証について説明する。本発明例として、トラックピッチ０．３５μｍ、グルーブ幅０．１２μｍのプリフォーマット領域に相当する部分と、トラックピッチ０．３２μｍ、グループ幅０．１８μｍのデータ領域に相当する部分とを有するポリカーボネート製の基板を射出成形によって成形し、外径１２０ｍｍ、厚さ１．１ｍｍの円盤状の基板を得た。一方、比較例として、トラックピッチ０．３５μｍ、グルーブ幅０．１８μｍのプリフォーマット領域に相当する部分と、トラックピッチ０．３２μｍ、グルーブ幅０．１８μｍのデータ領域に相当する部分とを有する基板を同様に成形した。【００２６】  これらの基板上に、スパッタによって銀で構成された反射層を６０ｎｍの厚みで形成した。次に式１に示すアゾ色素をＴＦＰ（テトラフルオロプロパノール）溶剤に溶かした色素溶液をスピンコート���により塗布し、温度８０℃で３０分乾燥して記録層を形成した。【００２７】
【式１】
2007299503.tif 000003
（式中、Ａ及びＡ’は、窒素原子、酸素原子、硫黄原子、セレン原子及びテルル原子から選ばれるヘテロ原子を１又は複数含んでなる、互いに同じか異なる複素環を表わし、Ｒ２１乃至Ｒ２４は、それぞれ独立に、水素原子又は置換基を表わし、Ｙ２１、Ｙ２２は周期律表における第１６族の元素から選ばれる互いに同じか異なるヘテロ原子を表わす。）
【００２８】  その後、記録層上に窒化アルミニウムで構成された透明材料をスパッタで２０ｎｍの厚みに形成し、中間層を形成した。次に厚さ０．１ｍｍのポリカーボネート製シートを、アクリル系の透明接着剤を用いて前記中間層上に貼り合わせ、光情報記録媒体を得た。
【００２９】  得られた光情報記録媒体を、市販の記録再生装置（パルステック工業（株）製ＤＤＵ−１０００）を用いて、波長４０５ｎｍ、開口数ＮＡ０．８５、線速４．９２ｍ／ｓで記録／再生特性（ＮＰＰｂ、Ｊｉｔｔｅｒ）を評価した。その結果を表１に示す。
【００３０】
【表１】
2007299503.tif 000004
【００３１】  この結果から、本発明例はプリフォーマット領域のＮＰＰｂを低減する効果を有することがわかる。これにより、高密度記録で高速記録が可能な光情報記録媒体を実現することができる。
【図面の簡単な説明】
【００３２】
【図１】光情報記録媒体の記録領域、プリフォーマット領域、データ領域を示す平面模式図である。
【図２】本発明に係る光情報記録媒体の直径方向の断面の一部を示す模式図である。
【図３】データ領域においてレーザー光がグルーブ上を走査している様子を示す模式図である。
【図４】従来の光情報記録媒体の場合のプリフォーマット領域における走査の様子を示す模式図である。
【図５】本発明の光情報記録媒体の場合のプリフォーマット領域における走査の様子を示す模式図である。
【図６】本発明の光情報記録媒体の製造に用いられる金型装置の模式図である。
【図７】本発明の光情報記録媒体の製造に用いられるスタンパの断面の一部を示す模式図である。
【符号の説明】
【００３３】１  光情報記録媒体
２  基板
３  反射層
４  記録層
５  中間層
６  光透過層
１０  スタンパ
１１  上金型
１２  下金型
１３  スタンパ押さえ
１４  金型装置
【図１】
2007299503.tif 000005
【図２】
2007299503.tif 000006
【図３】
2007299503.tif 000007
【図４】
2007299503.tif 000008
【図５】
2007299503.tif 000009
【図６】
2007299503.tif 000010
【図７】
2007299503.tif 000011